(57)【特許請求の範囲】
【請求項１】
人の皮膚又は外皮の色調を決定するための方法において、
ａ）前記皮膚又は外皮の少なくとも１つの決定されたゾーンの、各々が灰色レベルを有する複数（Ｎ個）のピクセルにより定められる少なくとも１つのデジタルカラー画像を、デジタルカメラ又はデジタル写真装置を用いて取り込み、前記少なくとも１つのデジタル画像を処理してそこに記録するデジタル画像処理装置へ前記デジタルカラー画像を送信するステップと、
ｂ）前記記録されたデジタルカラー画像を、前記デジタル画像処理装置でもって、３つの色平面、赤平面Ｒ、緑平面Ｇ及び青平面Ｂへと分割するステップと、
ｃ）前記平面Ｒ、Ｇ、Ｂの各々を抽出し、各平面に関して、前記Ｎ個のピクセルの各々について灰色レベル値を前記デジタル画像処理装置でもって計算して記録し、それによって、前記皮膚の色を特徴付ける灰色値に対応する、各平面についての灰色レベルを特徴付けるグラフ的灰色値、統計的灰色値、及び少なくとも１つの平均灰色値から選択された少なくとも１つの値を得るように、数学的計算手段により数学的に処理されるようなＮ個の灰色レベル値を与えるステップと、
ｄ１）垂直軸が各色平面Ｒ、Ｇ及びＢについての画像におけるピクセルの数又はピクセルの割合を表し、水平軸が画像のピクセルの灰色レベルの値を表し、又は、その逆であるような平面における曲線の形にて、前記デジタル画像からの各平面Ｒ、平面Ｇ及び平面Ｂのヒストグラムをプロットして、それにより、ヒストグラムＲ、ヒストグラムＧ及びヒストグラムＢのそれぞれを得るステップと、
ｄ２）最も離れたヒストグラムＲ、Ｇ、Ｂの、（ΔＲＧＢ）として示されるタイトネスを計算することにより、前記皮膚又は外皮を特徴付ける色を決定するステップと、
ｄ３）光度Ｌとして、次の式：（ＩＷ）＝tan−１（Ｌ／（ΔＲＧＢ））に従って、皮膚の白さインデックス（ＩＷ）を計算するステップとを含み、
ｅ）前記３つの色平面Ｒ、Ｇ、Ｂのうちの少なくとも２つの色平面の各色平面について前記画像のＮ個のピクセルのうちの少なくとも幾つかから生ずる灰色レベルの値から光度Ｌを評価するステップと、
ｆ）前記皮膚又は外皮の色調を、前記皮膚又は外皮の色を特徴付ける前記値及び前記光度Ｌの両者の組合せに基づいて特徴付けるステップと、
を含む方法。
【請求項２】
観察すべき色調を表す画像ゾーンを選択するステップと、
前記ゾーンの少なくとも１つの部分に関して、前記画像の平均灰色レベル、前記灰色レベルの集合表面領域及び灰色レベル変動から選択された少なくとも１つのパラメータを計算するステップと、
を含む、請求項１に記載の方法。
【請求項３】
前記３つのヒストグラムＲ、Ｇ、Ｂからの少なくとも２つのヒストグラムの重複領域、
又は、前記３つの平面Ｒ、Ｇ及びＢについて単一灰色レベル値が記録されているピクセルの数、
又は、前記３つの平面について記録された灰色レベルの算術平均、及び任意的なものとしてその平均からの偏差、
又は、それらの任意の組合せ、のうちのいずれかを、前記計算手段により計算することにより、平均色の多少の彩度増大／彩度減少特徴、又は平均色の彩度を決定するステップ、
を含む、請求項１に記載の方法。
【請求項４】
同じ個々人の顔の種々な皮膚ゾーンについて、前記ステップａ）〜ｆ）を繰り返す、
請求項１〜３の何れか一項に記載の方法。
【請求項５】
着色しみを含む着色欠陥を示す少なくとも１つの皮膚ゾーンと、自然に着色された少なくとも１つの他のコントロール皮膚ゾーンと、を選択するステップ、
を含む、請求項１〜４の何れか一項に記載の方法。
【請求項６】
前記皮膚の少なくとも１つのゾーンの画像取り込みを、白色光での照明の下で行うステップ、
を含む、請求項１〜５の何れか一項に記載の方法。
【請求項７】
前記デジタルカメラとして、ＴＲＩ−ＣＣＤデジタルカメラが使用され、又は前記デジタル写真装置として、Ｄ７０Ｓデジタル写真装置が使用される、請求項１〜６の何れか一項に記載の方法。
【請求項８】
前記計算手段は、前記皮膚又は外皮の色調を較正するための曲線を構成するため、観察される顔又は外皮の種々なゾーンでそれぞれ得られた種々な画像に関して得られた各パラメータの平均を考慮にいれて、各人について記録され使用される顔の各全体平均パラメータを得る、請求項１〜７の何れか一項に記載の方法。
【請求項９】
必要とする少なくとも一人の人に対するケア及びメーキャップに関して化粧料用組成物の化粧有効性を評価するための方法において、
請求項１〜８の何れか一項に記載の方法を実行し、
ａ）化粧料用組成物を使ってケア又はメーキャップする前に、皮膚又は外皮の色及び光度Ｌの基準パラメータとして、第１の画像である、少なくとも１つの画像から決定された皮膚又は外皮の色及び光度Ｌを使用するステップと、
ｂ）所定の時間期間に亘る前記化粧料用組成物の前記皮膚又は外皮の前記少なくとも１つのゾーンへの１回以上の付与を含む前記ケア又はメーキャップを行うステップと、
ｃ）前記皮膚又は外皮の前記少なくとも１つのゾーンの少なくとも１つの第２のデジタル画像を、前記所定の時間期間後に取り込み、トリートメント後の色及び光度Ｌの現在のパラメータを、前記第２のデジタル画像に関して、前記ｂ）で示されるようにして決定するステップと、
ｄ）トリートメント後に得られた前記第２のデジタル画像の色及び光度Ｌの前記現在のパラメータを、トリートメント前の前記第１の画像の色及び光度Ｌの前記基準パラメータと比較するステップと、
ｅ）前記化粧料用組成物の有効性又は非有効性を、前記色及び光度Ｌの基準パラメータと相当に異なる前記色及び光度Ｌの現在のパラメータの取得又は非取得の関数として結論付けるステップと、
を含む方法。
【請求項１０】
赤平面Ｒ、緑平面Ｇ及び青平面Ｂの３つの平面に分割されたそれぞれのデジタル画像に関して色パラメータを決定するステップ、
を含む、請求項９に記載の方法。
【請求項１１】
前記３つのヒストグラムＲ、Ｇ、Ｂのうちの少なくとも２つのヒストグラムの重複のレベルを計算することにより、平均色値を決定するステップ、
を含む、請求項９又は１０に記載の方法。
【請求項１２】
最も離れた前記ヒストグラムＲ、Ｇ、Ｂの（ΔＲＧＢ）として示されるタイトネスを計算することにより、前記化粧料用組成物の有効性を決定するステップ、
を含む、請求項９〜１１の何れか一項に記載の方法。
【請求項１３】
同じ人の種々な皮膚ゾーンに関して前記方法を繰り返す、請求項９〜１２の何れか一項に記載の方法。
【請求項１４】
着色しみを含む着色欠陥を示す皮膚又は外皮の少なくとも１つのゾーン及び自然に着色された少なくとも１つの他のコントロール皮膚ゾーンを選択するステップ、
を含む、請求項９〜１３の何れか一項に記載の方法。
【請求項１５】
皮膚又は外皮の前記少なくとも１つのゾーンに対してホワイトニングケアを行うステップと、
前記色及び光度Ｌの基準パラメータとは相当に異なる色及び光度Ｌの現在のパラメータの取得又は非取得の関数として、前記化粧料用組成物のホワイトニングの有効性又は非有効性について結論付けるため、前記所定の時間期間中に化粧ホワイトニング組成物を付与するステップと、
を含む、請求項９〜１４の何れか一項に記載の方法。
【請求項１６】
次の式：（ＩＷ）＝tan−１（Ｌ／（ΔＲＧＢ））に従って白さインデックスを計算し、前記白さインデックスの傾斜が相当に正である場合、前記化粧料用組成物の有効性を結論付け、白さインデックスの傾斜がそれほどには正ではない場合、前記化粧料用組成物の非有効性を結論付けるステップ、
を含む、請求項１５に記載の方法。
【請求項１７】
皮膚又は外皮の前記少なくとも１つのゾーンに対し、前記所定の時間期間中に化粧タンニング組成物を付与することを含むタンニングを行うステップであって、前記色及び光度Ｌの基準パラメータとは相当に異なる色及び光度Ｌの現在のパラメータの取得又は非取得の関数として、前記化粧料用組成物のタンニングの有効性又は非有効性について結論付けるようにする当該ステップ、
を含む、請求項９〜１４の何れか一項に記載の方法。
【請求項１８】
前記相当に異なるとは、誤差の確率が５％以下であるときに得られるものである、請求項１５又は１７に記載の方法。
【発明の詳細な説明】
【技術分野】
【０００１】
本発明は、皮膚又は外皮の色調を特徴付けるための方法、及びこの方法を、ケア又はメーキャップに関して化粧料用組成物の化粧有効性を評価するための方法において実施することに関する。
【背景技術】
【０００２】
個々人の皮膚の色は、主として、特にメラノサイトによるメラニンの分泌に関連した遺伝性素因からくるものである。しかしながら、この皮膚の色は、太陽光への露出、多かれ少なかれ血液微小循環を示す表皮の細かさ、飲食物、病気の発生又は薬の服用の如き多くの要因により、色合いが変わってくるものである。
【０００３】
この色の観察者による視覚的認識は、皮膚が光を散乱させる仕方により影響を受けるものでもあり、この皮膚が光を散乱させる仕方は、それらの要因のうちの１つの影響の下で変化するようなある光沢を誘引する水和の状態又は汚染物質の存在により影響されるものである。
【０００４】
このように、数値ツールを用いて原色の組合せへと変えることのできる「皮膚の色」と、皮膚の色及びその光沢から生ずる視覚的認識を表すより主観的な記法である「皮膚の色調」と、を区別することが可能である。
【０００５】
従って、皮膚又は外皮の色調を考察することを可能とする特徴付けのツール及び方法を使用することができることは重要である。
【０００６】
コンピュータ化したツールに頼って皮膚を考察する手法が知られている。
【０００７】
７００ナノメートルから２５００ナノメートルの範囲内の波長を使用する、いわゆるＮＩＲ、近赤外線手法に基づいて人の相対的年令を非侵入的に推定する手法及び装置が、米国特許６，５５１，９８２Ｂ１から知られている。
【０００８】
更に又、皮膚の欠陥を可視化する目的で種々なデジタル画像を取得し生成し、その後にそれら皮膚の欠陥を含むサブ画像を考察することにより皮膚を分析するための画像システム及び手法が、ＰＣＴ公報ＷＯ００／６７３９８Ａ１から知られている。
【０００９】
更に又、特に、一方では、着色しみ又は毛穴を評価するように、他方では、しわを評価するために皮膚の色を評価することになるかに従って、異なる実施形態を含むカラーデジタル画像分析方法及び装置が、２００４年１１月４日に発行された米国特許公開公報２００４／０２１８８１０から知られている。
【００１０】
皮膚の色を評価することについて言えば、当該米国特許公開公報２００４／０２１８８１０の図３において参照符号３２０で示される専用モジュールが意図されており、又、白色光により照明された額Ｆ、ほおＣの如き顔の皮膚のゾーンの平面部分における画像の取り込みを、一定の距離に配設された（段落０００９）デジタル装置（段落０００７）で実施する図６から図１０に示された種々なステップが意図されている。その明細書においては、段落００５２から段落００６０にて、信号Ｒ（赤）Ｇ（緑）、Ｂ（青）（図４において参照符号４４５）が抽出され、それら信号は、各画像取り込みゾーンにおいて、信号Ｈ（「色相」又は色調）、Ｓ（彩度）、Ｖ（値）（段落００３５の定義を参照）へと変換されることが記載されている。
【００１１】
そのモジュール３２０は、図１０Ａに示されるように、Ｈ、Ｓ及びＶの各階級を有するピクセルの数を計数することにより、各ＨＳＶ信号に基づくヒストグラムを生成することができる（図４の参照符号４７０）。図１０Ａのスクリーン１５５上の各ヒストグラムは、過去及び現在の判定の結果を示している。こうして、オペレータは、皮膚に対するホワイトニング化粧品の効果を確認することができる（段落００５４参照）。
【００１２】
最後に、色又は変色、油っぽさ、テクスチャー、しわ又は筋及び毛穴の如き皮膚の特定の特徴を決定するように、パブリックドメインソフトウエアの中から選択することのできる画像分析ソフトウエアを実施して人の皮膚ゾーンのデジタルカラー画像を取り込むための方法及び装置が、文献ＫＥＲＮ氏の米国特許公開公報２００７／００４０９０７から知られている（セクション４３から４８参照）。これらの特徴は、その後に、使用されるべきケア製品についてその人にアドバイスするのに使用される。実際に、この文献は、特に、デジタル画像取り込み装置の特定の構造に関連している（図１から図１４を参照）。
【００１３】
更に又、デジタル画像の生成及びその後に画像品質の改善のための処理ソフトウエアによって処理される皮膚の特徴を検出するための画像におけるトラフ及びピークの検出を含む画像分析のための方法及び装置を実施して皮膚のテクスチャーを改善するための方法及び装置が、米国特許７，０８２，２１１Ｂ１から知られている。その図５Ｃは、色分類器を示している。（第１０欄の３１行から４５行）。
【００１４】
２００７年１月発行の「SKIN  RESEARCH  AND  TECHNOLOGY」第１４巻、第１１号の６５頁から７０頁に掲載された、ＸＰ５５０２０２３６におけるPLADELLORENS氏等による論文には、カラー画像からの光度Ｌ＊の測定に重点をおいた記載がなされており、分光光度計を使用することが記載されている。
【００１５】
要するに、従来技術は、初期デジタル画像に基づく色及び光度のパラメータに基づいて皮膚又は外皮の色調を決定するための本格的な手法及び装置を提供しておらず、以下に説明する本発明と対比して、皮膚又は外皮のケア又はメーキャップに関して化粧料用組成物の有効性を客観的に評価するのにそれらを適用することに、依然としてあまり関連したものではない。
【先行技術文献】
【特許文献】
【００１６】
【特許文献１】米国特許６，５５１，９８２Ｂ１
【特許文献２】ＰＣＴ公報ＷＯ００／６７３９８Ａ１
【特許文献３】米国特許公開公報２００４／０２１８８１０
【特許文献４】米国特許公開公報２００７／００４０９０７
【特許文献５】米国特許７，０８２，２１１Ｂ１
【非特許文献】
【００１７】
【非特許文献１】ＸＰ５５０２０２３６におけるPLADELLORENS氏等による論文、２００７年１月発行、「SKIN  RESEARCH  AND  TECHNOLOGY」第１４巻、第１１号の６５頁から７０頁
【発明の概要】
【発明が解決しようとする課題】
【００１８】
本発明の目的は、比較的に容易に実施でき、得られた結果に関して保証でき信頼性のあるような、客観的な仕方にて皮膚又は外皮の色調を決定するための新規な方法及び新規な装置を提供することを含めて、前述の技術的課題を解決することである。
【００１９】
又、本発明の目的は、市販されてもいるような簡単なソフトウエアを含むデジタル画像を処理するためのシステムにより、得られたデジタル画像の処理ステップを最少として、カラーデジタル画像に基づき皮膚又は外皮の色調を決定するための新規な方法及び新規な装置を提供することを含めて、前述の技術的課題を解決することである。
【００２０】
更に又、本発明の目的は、皮膚又は外皮の色調を決定するための前記方法又は装置を実施して化粧品の化粧有効性を評価するための方法を提供することを含めて、前述の技術的課題を解決することである。
【００２１】
本発明は、これら２つの技術的課題に対する満足のいく解決法を与えるものである。
【００２２】
［定義］
表現「皮膚又は外皮の色調」は、皮膚又は外皮の色合い又は色及びその光度又は光沢の両者から生ずる個々人の皮膚又は外皮の視覚的認識を意味せんとするものである。
【００２３】
表現「皮膚又は外皮の色合い又は色」は、前記皮膚又は外皮のデジタル画像の分析から生じ、その色成分、即ち、Ｒとして示される色、赤、Ｇとして示される色、緑、及びＢとして示される色、青の組合せにより得られるような全色を意味せんとするものである。
【００２４】
表現「光度」は、Ｒ、Ｇ、Ｂ値を、Ｄ６５発光物及び１０度での観察者に対するＣＩＥ  Ｌ＊ａ＊ｂ＊ベンチマークへと変換するための手順による得られるような光度値Ｌ＊を意味せんとするものである。
【課題を解決するための手段】
【００２５】
第１の態様によれば、本発明は、人の皮膚又は外皮の色調を決定するための方法において、
前記皮膚又は外皮の少なくとも１つのゾーンのＮ個のピクセルを含むデジタルカラー画像を取り込むステップと、
前記カラーデジタル画像の３つの色平面、赤（Ｒ）、緑（Ｇ）及び青（Ｂ）を抽出するステップと、
少なくとも２つの平面について、特に、前記３つの平面Ｒ、Ｇ、Ｂについて、前記画像の前記Ｎ個のピクセルのうちの少なくとも幾つかからの各ピクセルの灰色レベルの値に基づき前記皮膚又は外皮の色を評価するステップと、
少なくとも２つの平面について、特に、前記３つの平面Ｒ、Ｇ、Ｂについて、前記画像の前記Ｎ個のピクセルのうちの少なくとも幾つかからの各ピクセルの灰色レベルの値に基づき光度Ｌ＊を評価するステップと、
前記皮膚又は外皮の色の前記評価及び前記光度Ｌ＊の前記評価の結果として前記皮膚又は外皮の色調を特徴付けるステップと、
を含むことを特徴とする方法を提供する。
【００２６】
前記方法の特定の実施形態によれば、前記方法は、
ａ）前記皮膚又は外皮の少なくとも１つの決定されたゾーンの、複数（Ｎ）のピクセルにより定められる少なくとも１つのデジタルカラー画像を、デジタルカメラ又はデジタル写真装置を用いて取り込み、デジタル画像を処理しそれを記録する装置へ前記デジタルカラー画像を送信するステップと、
ｂ）前記記録されたデジタルカラー画像を、前記画像処理装置を用いてＲ、Ｇ、Ｂと称される３つの色平面、赤（Ｒ）、緑（Ｇ）、青（Ｂ）へと分割するステップと、
ｃ）前記平面Ｒ、Ｇ、Ｂの各々を抽出し、各平面に関して、前記ピクセルの各々について灰色レベル値、即ち、Ｎ個の値を記録し、前記皮膚の色を特徴付ける値に対応する、各平面Ｒ、Ｇ、Ｂについての前記灰色レベルを特徴付ける少なくとも１つのグラフ的又は統計的値及び／又は少なくとも１つの値、並びに、光度値Ｌ＊を得るように、適当な計算手段により数学的に前記Ｎ個の値を任意的に処理するステップと、
ｄ）前記皮膚又は外皮の色調を、前記皮膚又は外皮の色を特徴付ける前記値及び前記光度値Ｌ＊の組合せに基づいて特徴付けるステップと、
を含むことを特徴とする。
【００２７】
特定の変形実施形態によれば、前記方法は、観察すべき色調を表す画像ゾーンを選択し、前記ゾーンの少なくとも１つの部分に関して、前記画像の平均灰色レベル、前記灰色レベルの集合表面領域及び変動、並びに光度Ｌ＊の中から選択された少なくとも１つのパラメータのパラメータ化を実施することを特徴とする。
【００２８】
前記方法の別の特定の実施形態によれば、前記方法は、例えば、垂直軸が各色平面Ｒ、Ｇ及びＢについての画像におけるピクセルの数又はピクセルの割合を表し、水平軸が画像の灰色レベルの値のセットを表し、又は、その逆であるような平面において、各デジタル画像のヒストグラムを曲線の形にてプロットし、それにより、ヒストグラムＲ、ヒストグラムＧ及びヒストグラムＢを得ることを特徴とする。
【００２９】
前記方法の更に別の特定の実施形態によれば、前記方法は、最も離れたヒストグラムＲ、Ｇ、Ｂ、又は前記ヒストグラムＲ、Ｇ、Ｂのうちの少なくとも２つの、いずれかの（ΔＲＧＢ）として示されるタイトネスを計算することにより、前記皮膚又は外皮の色を決定することを特徴とする。
【００３０】
前記方法の更に別の特定の実施形態によれば、前記方法は、
次のパラメータ：
少なくとも２つのヒストグラム、好ましくは、前記３つのヒストグラムＲ、Ｇ及びＢの重複領域、
又は、前記３つの平面Ｒ、Ｇ及びＢについて単一灰色レベル値が記録されているピクセルの数、
又は、前記３つの平面Ｒ、Ｇ及びＢについて記録された灰色レベルの算術平均、及び任意的なものとしてその平均からの偏差、
又は、それらの組合せ、
のうちの少なくとも１つのパラメータを用いて前記色の多少の彩度減少特徴を決定することを特徴とする。
【００３１】
前記方法の更に別の特定の実施形態によれば、前記方法は、次の式：
（ＩＷ）＝tan-１（Ｌ＊／（ΔＲＧＢ））
に従って、皮膚の白さインデックス（ＩＷ）を計算することを特徴とする。
【００３２】
前記方法の更に別の特定の実施形態によれば、前記方法は、前記同じ個々人の皮膚又は外皮の種々なゾーン、特に、顔の種々な皮膚ゾーンに関して、前記方法を繰り返すことを特徴とする。
【００３３】
前記方法の更に特定の実施形態によれば、前記方法は、各ゾーンについて、前記光度Ｌ＊、前記インデックス（ΔＲＧＢ）及びインデックス（ＩＷ）についての値を計算することを特徴とする。
【００３４】
前記方法の特定の実施形態によれば、前記方法は、少なくとも１つの皮膚ゾーンが着色しみの着色欠陥を示し、少なくとも１つの他の「コントロール」皮膚ゾーンが通常に着色されていることを特徴とする。
【００３５】
前記方法の特定の実施形態によれば、前記方法は、皮膚又は外皮の少なくとも１つのゾーンの画像取り込みが白色光での照明の下で実施されることを特徴とする。
【００３６】
前記方法の別の特定の実施形態によれば、前記灰色レベルのしきい値化を実施することが可能であり、即ち、スプリアス要素を除去するように、特定の所定の灰色レベルしきい値より下の灰色レベルを除去することができる。
【００３７】
前記方法の更に別の特定の実施形態によれば、その全体に関して特徴付けを行うことができるかについて、分析すべき皮膚又は外皮の限定された領域を選択することが可能である。
【００３８】
特定の変形実施形態によれば、前記限定された領域は、約１ｃｍ２から１０ｃｍ２の領域を表すことができる。
【００３９】
本発明の方法の特定の特徴によれば、オペレータが観察されるゾーンをより良好に可視化できるように、又、任意的なものとして、灰色レベルのしきい値化を評価してスプリアス要素又はアーチファクトを除去することができるように、カメラ又は写真装置によって得られた前記デジタル画像の拡大を行うことが可能である。
【００４０】
本発明による方法の効果的な実施形態によれば、前記方法は、ＴＲＩ-ＣＣＤタイプのデジタルカラーカメラ又はカラーデジタル写真装置が使用されることを特徴とする。このようなデジタルカラーカメラは、特に、会社ＳＯＮＹ（登録商標）から市販されており、又、例えば、Ｄ７０Ｓタイプのこのようなデジタル写真装置は、会社ＮＩＫＯＮ（登録商標）から市販されている。カラーデジタル画像を取得するため、会社Ｃａｎｆｉｅｌｄ（登録商標）からのＶＩＳＩＡ-ＣＲシステムを使用することもできる。このような取得は、標準白色光において半横向きの顔面に関して効果的に行うことができる。
【００４１】
本発明の方法の特定の実施形態によれば、前記方法は、１人及び同じ人の皮膚の少なくとも１つの画像又は複数の画像が、特に、幾つかの異なるゾーンについて、デジタルデータを記録するための装置に記録されることを特徴とする。
【００４２】
特定の変形実施形態によれば、前記画像取り込みゾーンは、顔、身体又は外皮を表す任意の皮膚のゾーンに対応する。効果的には、これは、額の中央ゾーン、及び／又はほおのゾーン、及び／又はつめのゾーンからなるグループの中から選択されたゾーンである。
【００４３】
第２の態様によれば、本発明は、人の皮膚又は外皮の色調を特徴付けるための装置において、
ａ）前記皮膚又は外皮の少なくとも１つの決定されたゾーンの、デジタル画像処理装置へと送信される複数（Ｎ）のピクセルにより定められる少なくとも１つのデジタルカラー画像を取り込むことのできるデジタルカメラ又はデジタル写真装置と、
ｂ）前記デジタル画像を、前記画像処理装置を用いてＲ、Ｇ、Ｂと称される３つの色平面、赤、緑、青へと分割するための手段と、
ｃ）前記平面Ｒ、Ｇ、Ｂの各々を抽出するための手段及び各平面に関して、前記ピクセルの各々について灰色レベル値、即ち、Ｎ個の値を記録し、前記皮膚の色を特徴付ける値に対応する、各平面についての灰色レベルを特徴付ける少なくとも１つのグラフ的又は統計的値及び／又は少なくとも１つの値、並びに、光度値Ｌ＊を得るように、適当な計算手段により数学的に前記Ｎ個の値を任意的に処理するようにする計算手段と、
ｄ）前記皮膚又は外皮の色調を、前記皮膚又は外皮の色を特徴付ける前記値及び前記光度値Ｌ＊の組合せに基づいて特徴付ける手段と、
を備えることを特徴とする装置を提供する。
【００４４】
特定の実施形態によれば、前記装置は、観察すべき色調を表す画像ゾーンに関して、及び前記ゾーンの少なくとも１つの部分に関して、前記計算手段は、前記画像の平均灰色レベル、前記灰色レベルの集合表面領域及びその変形又はそれらの組合せの中から選択された少なくとも１つのパラメータのパラメータ化を実施することを特徴とする。
【００４５】
特定の実施形態によれば、前記装置は、前記計算手段が、例えば、垂直軸が各色平面Ｒ、Ｇ及びＢについての画像におけるピクセルの数又はピクセルの割合を表し、水平軸が画像のピクセルの灰色レベルのセットを表すような平面において、各デジタル画像のヒストグラムを曲線の形にてプロットし、それにより、ヒストグラムＲ、ヒストグラムＧ及びヒストグラムＢを得るようにすることを特徴とする。
【００４６】
特定の実施形態によれば、前記装置は、最も離れたヒストグラムＲ、Ｇ、Ｂ、又は前記ヒストグラムＲ、Ｇ、Ｂのうちの少なくとも２つ、のいずれかの（ΔＲＧＢ）として示されるタイトネスを計算することにより、前記皮膚又は外皮の色の彩度減少を決定することを特徴とする。
【００４７】
別の特定の実施形態によれば、前記装置は、更に、
次のパラメータ：
少なくとも２つのヒストグラム、好ましくは、前記３つのヒストグラムＲ、Ｇ及びＢの重複領域、
又は、前記３つの平面Ｒ、Ｇ及びＢについて単一灰色レベル値が記録されているピクセルの数、
又は、前記３つの平面について記録された灰色レベルの算術平均、及び任意的なものとしてその平均からの偏差、
又は、それらの組合せ、
のうちの少なくとも１つのパラメータを計算することにより前記色の多少の彩度増大／彩度減少特徴を決定することを特徴とする。
【００４８】
更に別の特定の実施形態によれば、前記装置は、次の式：
（ＩＷ）＝tan-１（Ｌ＊／（ΔＲＧＢ））
に従って、皮膚の白さインデックス（ＩＷ）を計算することを特徴とする。
【００４９】
特定の実施形態によれば、前記装置は、前記計算手段が、各ゾーンについて、前記光度Ｌ＊、前記インデックス（ΔＲＧＢ）及びインデックス（ＩＷ）についての値を、特に、前記皮膚又は外皮の幾つかの選択されたゾーンについて計算することを特徴とする。
【００５０】
別の特定の実施形態によれば、前記装置は、更に、白色光で照明し、このような照明の下で前記皮膚の少なくとも１つのゾーンの少なくとも１つの画像を取り込めるようにする装置を更に備えることを特徴とする。
【００５１】
別の特定の実施形態によれば、特に、会社ＳＯＮＹ（登録商標）から市販されているＴＲＩ-ＣＣＤタイプのデジタルカラーカメラ又は会社ＮＩＫＯＮ（登録商標）から市販されているＤ７０Ｓタイプのデジタル写真装置を使用することが考えられる。画像を取得するため、会社Ｃａｎｆｉｅｌｄ（登録商標）からのＶＩＳＩＡ-ＣＲシステムを使用することもできる。このような取得は、標準白色光で半横向きに位置した顔の少なくとも１つのほおの少なくとも１つのゾーンに関して行うことができる。
【００５２】
更に別の特定の実施形態によれば、前記装置は、スクリーン、キーボード及びマウスを備えるモニターと組み合わされるコンピュータであって、
デジタル画像をＲ、Ｇ、Ｂと称される３つの色平面、赤、緑、青へと分割するための手段と、
前記平面Ｒ、Ｇ、Ｂの各々を抽出するための手段と、
数学的計算をする適当な手段と、
前記皮膚または外皮の少なくとも１つの画像又は複数の画像を記録するための手段と、
を含む前記手段の全てを統合するソフトウエアを含むようなコンピュータを備える。
【００５３】
特定の実施形態によれば、前記計算手段は、効果的に記録され、変形実施形態により皮膚の色調を較正するための曲線を構成するのに各人について使用されるような各全体平均パラメータを得るように、観察される皮膚又は外皮の種々なゾーンでそれぞれ種々な画像に関して得られた各パラメータの平均を考慮する。
【００５４】
特定の実施形態によれば、前記装置は、特に１つのほおの、特に幾つかのゾーンに関して、１人及び同じ人の皮膚又は外皮の少なくとも１つの画像又は複数の画像を記録するための手段を備える。
【００５５】
第３の態様によれば、本発明は、更に、それを必要とする少なくとも一人の人に対するケア又はメーキャップに関して化粧料用組成物の化粧有効性を評価するための方法において、
ａ）少なくとも１つの第１のカラーデジタル画像が、皮膚又は外皮の少なくとも１つの決定されたゾーンへ前記化粧品を付与する前に取り込まれ、
ｂ）前記第１のデジタルカラー画像が、トリートメント前の前記皮膚又は外皮の色及び光度Ｌ＊の基準パラメータとして、前記皮膚又は外皮の色を決定し、並びに、光度Ｌ＊の値を決定するように、３つの色平面、赤（Ｒ）、緑（Ｇ）及び青（Ｂ）に分解され、
ｃ）所定の時間期間に亘る前記化粧料用組成物の前記皮膚又は外皮の前記少なくとも１つのゾーンへの１回以上の付与を含む前記ケア又はメーキャップが行われ、
ｄ）前記皮膚又は外皮の前記少なくとも１つのゾーンの少なくとも１つの第２のデジタル画像が、前記所定の時間期間後に取り込まれ、トリートメント後の色及び光度Ｌ＊の現在のパラメータが、前記第２の画像に関して、前記ｂ）で示されるようにして決定され、
ｅ）トリートメント後に得られた前記第２の画像の色及び光度Ｌ＊の前記現在のパラメータが、トリートメント前の前記第１の画像の色及び光度Ｌ＊の前記基準パラメータと比較され、
ｆ）前記化粧料用組成物の有効性又は非有効性が、前記色及び光度Ｌ＊の基準パラメータと相当に異なる前記色及び光度Ｌ＊の現在のパラメータの取得又は非取得の関数として結論付けられる、
ことを特徴とする方法に関する。
【００５６】
特定の実施形態によれば、前記方法は、前記色パラメータが、Ｒ平面、Ｇ平面、Ｂ平面と称される、色、赤Ｒ、色、緑Ｇ、及び色、青Ｂのそれぞれの３つの平面に分解された各デジタル画像に関して決定されることを特徴とする。
【００５７】
別の特定の実施形態によれば、前記方法は、ヒストグラムＲ、ヒストグラムＧ及びヒストグラムＢを得るように、例えば、垂直軸が各色平面Ｒ、Ｇ及びＢについての前記画像におけるピクセルの数又はピクセルの割合を表し、水平軸が前記画像のピクセルの灰色レベルの値のセットを表すような平面に、各デジタル画像のヒストグラムがプロットされることを特徴とする。
【００５８】
別の特定の実施形態によれば、前記方法は、前記平均色の多少の彩度減少特徴が、少なくとも２つのヒストグラム、好ましくは、前記３つのヒストグラムＲ、Ｇ、Ｂの重複のレベルを計算することにより決定されることを特徴とする。
【００５９】
別の特定の実施形態によれば、前記方法は、前記化粧料用組成物の有効性が、最も離れたヒストグラム、又は前記ヒストグラムＲ、Ｇ、Ｂのうちの少なくとも２つのヒストグラム、のいずれかの（ΔＲＧＢ）として示されるタイトネスを計算することにより決定されることを特徴とする。
【００６０】
更に別の特定の実施形態によれば、前記方法は、次の式：
（ＩＷ）＝tan-１（Ｌ＊／（ΔＲＧＢ））
に従って、皮膚の白さインデックス（ＩＷ）が計算されることを特徴とする。
【００６１】
別の特定の実施形態によれば、前記方法は、前記方法が同じ個々人の皮膚又は外皮の種々なゾーンに関して繰り返されることを特徴とする。
【００６２】
別の特定の実施形態によれば、前記方法は、光度Ｌ＊、インデックス（ΔＲＧＢ）及びインデックス（ＩＷ）の値が各ゾーンについて計算されることを特徴とする。
【００６３】
更に別の特定の実施形態によれば、前記方法は、少なくとも１つの皮膚ゾーンが着色しみの如き着色欠陥を示し、少なくとも１つの他の「コントロール」皮膚ゾーンが通常に着色されていることを特徴とする。
【００６４】
別の特定の実施形態によれば、前記方法は、皮膚又は外皮の少なくとも前記ゾーンに対してホワイトニングケアが実施され、前記色及び光度Ｌ＊の基準パラメータとは相当に異なる色及び光度Ｌ＊の現在のパラメータの取得又は非取得の関数として、前記化粧料用組成物の有効性又は非有効性について結論付けるように、前記所定の時間期間中に化粧ホワイトニング組成物が付与され、そして、特に、前記白さインデックスが計算され、前記化粧料用組成物の有効性又は非有効性が、前記白さインデックスの傾斜が相当に正であるか、又はそれほどには正ではないかに従って結論付けられることを特徴とする。
【００６５】
更に別の特定の実施形態によれば、前記方法は、皮膚又は外皮の少なくとも前記ゾーンに対してタンニングケアが実施され、前記色及び光度Ｌ＊の基準パラメータとは相当に異なる色及び光度Ｌ＊の現在のパラメータの取得又は非取得の関数として、前記化粧料用組成物のタンニングの有効性又は非有効性について結論付けるように、前記所定の時間期間中に化粧タンニング組成物が付与されることを特徴とする。
【００６６】
前記方法の効果的な実施形態によれば、前記方法は、５％以下の誤差の確率でもって相当の減少が得られることを特徴とする。
【００６７】
本発明による方法及び装置によれば、前述したような技術的課題は、簡単で、保証でき且つ信頼できる仕方にて解決される。
【００６８】
本発明の他の目的、特徴及び効果は、本発明の現在において好ましい実施形態に関して以下になされる説明から明らかとなろう。
【図面の簡単な説明】
【００６９】
【図１】本発明による前述の方法を実施することを可能とする、人の皮膚又は外皮の色調を特徴付けるための装置を示す図である。
【図２】正規直交基準フレームにおける赤色平面、緑色平面、青色平面それぞれについて額のゾーンにおいて取られた皮膚の典型的なヒストグラムを表す図である。
【図３】皮膚の自然の白さ又は白さインデックスのレベルの分類を正規直交基準フレームとして表す図である。
【図４】正規直交基準フレームにおいて、化粧ホワイトニング組成物の付与の後の皮膚の白さレベルの傾斜の曲線を表す図である。
【図５】肌色又は皮膚の着色の度合いを表す図である。
【図６】女性の２つのグループのホワイトニング化粧料用組成物での化粧トリートメントの過程における縦座標として偏差ΔＲＧＢの傾斜、横座標として光度Ｌ＊の曲線を表す図である。
【発明を実施するための形態】
【００７０】
図１は、人の皮膚又は外皮の色調を特徴付けるための装置を示しており、この装置は、皮膚又は外皮の色調を特徴付けるための前述の方法及びそれを必要とする少なくとも一人の人に対するケア又はメーキャップに関して化粧料用組成物の化粧有効性を評価するための方法を実施することを可能とするものであり、ここで、第１の実施形態では、例えば、特に、額、ほおの如き、その色調について特定的に分析せねばならない少なくとも１つの決定された皮膚ゾーンの画像を取り込むものである。
【００７１】
図２は、正規直交基準フレームにおける各赤、緑又は青色平面について額のゾーンにおいて取られた皮膚の典型的なヒストグラムＲ、Ｇ、Ｂを表しており、ここでは、水平軸又は横座標として、画像のピクセルの灰色レベルの値のセットが、最も暗い（左側）ものから最も明るい（右側）ものへと並べられ、０（真っ黒）から２５５（真っ白）までのスケールにて階級分けされており、又、縦座標又は垂直軸として、各成分Ｒ、Ｇ及びＢについての画像におけるこれらのピクセルの数又は割合が示されている。
【００７２】
図３は、皮膚の自然の白さ又は白さインデックスのレベルの分類を正規直交基準フレームとして表しており、この白さインデックスは、白さ角度式＝tan-１（Ｌ＊／ΔＲＧＢ）により与えられる「角度」を用いて量子化されており、ここでは、横座標又は水平軸として、ΔＲＧＢの値が取られ、垂直軸又は縦座標として、光度Ｌ＊が取られており、それにより、色黒皮膚、中間皮膚及び色白皮膚への分類を示している。
【００７３】
図４は、正規直交基準フレームにおいて、化粧ホワイトニング組成物の付与の後の皮膚の白さレベルの傾斜の曲線を表している。横座標又は水平軸として、ΔＲＧＢ（Ｔｎ-Ｔ０）がプロットされており、又、Ｔ０は、ホワイトニング化粧品の付与の開始の瞬時Ｔであり、瞬時Ｔｎは、付与の終了の日であり、ホワイトニング化粧トリートメントのｎ番目の日に対応している。垂直又は縦座標軸は、式Ｌ＊（Ｔｎ-Ｔ０）での光度Ｌ＊を表している。
【００７４】
従って、もし、白さ角度tan-１（Ｌ＊：ΔＲＧＢ）の２つの点の間の傾斜が正である場合には、ホワイトニング製品は、有効性があるものとして考えられることが、観察されよう。
【００７５】
図５は、肌色又は皮膚の着色の度合いを表しており、この度合いは、式ＩＴＡ＝[tan-１（Ｌ＊−５０）：ｂ＊]×１８０／ｎに従って計算された個々の類型学的角度により確立されている。ここで、横座標軸又は水平軸にて、０から２６までの範囲に亘る値のスケールに従ってｂ＊（クロムイエロー）の値が示されており、縦座標軸又は垂直軸は、５０から８０までの範囲に亘るスケールにて光度又は光度Ｌ＊を表している。
【００７６】
個々の類型学的角度ＩＴＡが０°と１０°との間にあるときには、その皮膚は、茶色がかった色調であり、この角度が１０°と２８°との間にあるときには、その皮膚は、日焼け色の色調又は着色を示しており、この角度が２８°と４１°との間にあるときには、その皮膚は、中間の色調を示しており、この角度が４１°と５５°との間にあるときには、その皮膚は、色白であり、この角度が５５°より大きいときには、その皮膚は、非常に色白である。
【００７７】
図６は、女性の２つのグループのホワイトニング化粧料用組成物での化粧トリートメントの過程における縦座標として偏差ΔＲＧＢの傾斜、横座標として光度Ｌ＊の曲線を表しており、それら２つのグループのうちの１つのグループは、非常に色白な肌の色から色白な肌の色までのＣとして示された皮膚を有するグループとして階級付けられたものであり、もう１つのグループは、中間の肌の色から色白の肌の色までのＦとして示される皮膚を有するグループとして階級付けられたものであり、ここで、トリートメント時間の過程に亘るＴ４（４週間）及びＴ８（８週間）におけるＲＧＢ偏差の相当の減少を、光度Ｌ＊の増大と並べて示している。
【００７８】
実施例１
図１に示した装置の説明
図を参照するに、特に、図１に関しては、本発明による装置の現時点において好ましい実施形態が示されており、この装置は、全体として参照符号１０で示されている。
【００７９】
この装置１０は、人の皮膚又は外皮の色調の特徴付けを実施するように設計されており、この装置１０は、
ａ）少なくとも１つの決定された皮膚ゾーン３６、４０の、デジタル画像処理装置へと送信される複数（Ｎ）のピクセルにより定められる少なくとも１つのデジタル画像１４を取り込むができるようにするデジタルカメラ又はデジタル写真装置１２、
を備えることを特徴とする。
【００８０】
このような画像取り込みの必要性のため、皮膚の決定されたゾーンは、図示していない照明装置により、白色光又は紫外線光で照明される。
【００８１】
本発明による装置の特定の実施形態によれば、特に、会社ＳＯＮＹ（登録商標）から市販されているカラーカメラの如きＴＲＩ-ＣＣＤタイプのデジタルカラーカメラ１２、又は会社ＮＩＫＯＮ（登録商標）から市販されているＤ７０Ｓタイプのデジタル写真装置を使用することが考えられる。この実施例では、画像の取得のため、会社Ｃａｎｆｉｅｌｄ（登録商標）からのＶＩＳＩＡ-ＣＲシステムが使用される。これらの取得は、標準白色光でもって、図１に示されるように半横向きに位置した顔の少なくとも１つのほおの少なくとも１つのゾーンに対して行うことができる。
【００８２】
特定の変形実施形態によれば、前記カメラ又は前記写真装置１２は、約１ｃｍ２から１０ｃｍ２を有する皮膚の領域の画像を取り込むことができる。
【００８３】
又、当業者にはよく知られているように、デジタル画像を処理するためのこのような装置は、適当なコード１３により前記カメラ１２に接続されるコンピュータ５０に統合されるような、例えば、ソフトウエアの形において市販されている。前記コンピュータ５０は、普通、スクリーン５４及びキーボード５６、及びマウス５８と共に、モニター５２と組み合わされている。
【００８４】
ｂ）前記デジタル画像を処理するための装置は、Ｒ、Ｇ、Ｂと称される３つの色平面、赤、緑、青、へそのデジタル画像を分割するための手段を備えており、
ｃ）前記デジタル画像を処理するための装置は、又、これらの平面Ｒ、Ｇ、Ｂの各々を抽出するための手段と、
ｄ）各平面に関して、前記ピクセルの各々について灰色レベル値、即ち、Ｎ個の値を記録し、前記皮膚の色又は色調を特徴付ける値に対応する、各平面についての灰色レベルを特徴付ける少なくとも１つのグラフ的又は統計的値及び／又は少なくとも１つの値、並びに、光度値Ｌ＊を得るように、適当な計算手段により数学的に前記Ｎ個の値を任意的に処理するようにする、ここでは前記ソフトウエアにより実現される計算手段と、
ｄ）前記皮膚又は外皮の色調を、前記皮膚又は外皮の色を特徴付ける前記値及び前記光度値Ｌ＊の組合せに基づいて特徴付ける手段と、を備える。
【００８５】
本発明の別の特定の実施形態によれば、前記装置は、前記計算手段が、例えば、垂直軸が各色平面Ｒ、Ｇ及びＢについての画像におけるピクセルの数又はピクセルの割合を表し、水平軸が画像のピクセルの灰色レベルの値を表すような平面において、各デジタル画像のヒストグラムを曲線の形にてプロットし、それにより、図２に示されるように、ヒストグラムＲ、ヒストグラムＧ及びヒストグラムＢを得るようにすることを特徴とする。
【００８６】
その画像から抽出された各平面に対して、任意的に、画像から反射の如きスプリアスノイズを除去するように、画像分析ソフトウエアにて実現される数学的フィルタを適用することができる。
【００８７】
本発明の装置の可能な特徴によれば、前記装置は、カメラにより得られた前記画像の、例えば、額３６の中央ゾーン及び／又はほお４０の中央ゾーンの細部を拡大するように、例えば、４倍の倍率を有する拡大手段を備えることができ、これらもまた、前記ソフトウエアにより統合されていて、オペレータが、皮膚欠陥をよりよく見ることができるようにし、そして、灰色レベルのしきい値化を評価できるようにし、これにより、スプリアス要素又はアーチファクトを排除することが可能とされる。
【００８８】
本発明の装置の別の効果的な特徴によれば、前記装置は、これもまたソフトウエアに統合される灰色レベルのしきい値化を考察するための手段、即ち、特定の所定の灰色レベルしきい値より下の灰色レベルを除去して、スプリアス要素を除去し、それにより、この場合においてスプリアス要素のない画像を生成することができるようにする手段を備えることができる。
【００８９】
本発明の装置の特定の実施形態によれば、前記装置は、ソフトウエアに統合されたデジタルデータを記録するための装置において、一人の同じ人の、特に、ここでは、額のゾーン３６及び各ほお４０のそのような幾つかの異なるゾーンの皮膚又は外皮の少なくとも１つの画像又は複数の画像を記録するための、ソフトウエアに統合された手段を備える。
【００９０】
本発明の別の特定の変形実施形態によれば、前記計算手段は、最も離れたヒストグラムＲ、Ｇ、Ｂ、又は前記ヒストグラムＲ、Ｇ、Ｂのうちの少なくとも２つ、のいずれかのΔＲＧＢとして示されるタイトネスを計算することにより皮膚又は外皮を特徴付ける色を決定する。
【００９１】
本発明の別の特定の変形実施形態によれば、前記装置は、前記計算手段が、
少なくとも２つのヒストグラム、好ましくは、前記３つのヒストグラムＲ、Ｇ及びＢの重複領域、
又は、前記３つの平面Ｒ、Ｇ及びＢについて灰色レベルの単一値が記録されているピクセルの数、
又は、前記３つの平面について記録された灰色レベルの算術平均、及び任意的なものとしてその平均からの偏差、
又は、それらの組合せ、
のいずれかを計算することにより、画像の彩度減少を決定することを特徴とする。
【００９２】
本発明の別の特定の変形実施形態によれば、前記計算手段は、次の式：
（ＩＷ）＝tan-１（Ｌ＊／（ΔＲＧＢ））
に従って、皮膚の白さインデックス（ＩＷ）を計算する。
【００９３】
本発明の特定の変形実施形態によれば、前記装置は、前記計算手段が、各ゾーンについて、特に、皮膚又は外皮の幾つかの選択されたゾーンについての光度Ｌ＊、インデックス（ΔＲＧＢ）及びインデックス（ＩＷ）の値を計算することを特徴とする。
【００９４】
本発明の特定の変形実施形態によれば、前記装置は、皮膚又は外皮の少なくとも１つの選択されたゾーンが着色しみの如き着色欠陥を示し、少なくとも１つの他の「コントロール」皮膚ゾーンが通常に着色されていることを特徴とする。
【００９５】
本発明の更に別の特定の変形実施形態によれば、前記装置は、分析される人の皮膚又は外皮の限定された領域を前記デジタル画像１４から抽出するための手段を備えており、前記計算手段が、この限定された領域の全体に亘って色及び光度Ｌ＊の分析を行い、特に、パラメータの計算及び灰色レベルのしきい値化の実施を行うことを特徴とする。
【００９６】
特定の変形例によれば、前記皮膚の限定された領域は、約１ｃｍ２から１０ｃｍ２の領域を表している。
【００９７】
本発明の特定の変形実施形態によれば、前記装置は、スクリーン（５４）、キーボード（５６）及びマウス（５８）を備えるモニター（５２）と組み合わされ、且つソフトウエアを含むコンピュータ（５０）を備えることを特徴としており、そのソフトウエアは、デジタル画像を分析するためのオフザシェルフソフトウエアであって、次の手段を含めて前述した手段の全てを統合しているようなオフザシェルフソフトウエアであることができる。
【００９８】
デジタル画像をＲ、Ｇ、Ｂと称される３つの色平面、赤、緑、青、へと分割するための手段
これら平面Ｒ、Ｇ、Ｂの各々を抽出するための手段
この平面に基づいて以下のパラメータのうちの少なくとも１つを計算するための手段：
画像の平均灰色レベル
前記画像の皮膚又は外皮の色の領域
前記３つの平面Ｒ。Ｇ、Ｂの灰色レベルの値に基づく光度Ｌ＊の計算
前記３つの平面Ｒ、Ｇ、Ｂの灰色レベルの値に基づく色相角度ＩＴＡの計算
２次元曲線の形にての各平面、赤、緑、青、における画像のヒストグラムのプロット
ここで、その２次元曲線においては、図２に従って、その垂直軸は、各成分Ｒ、Ｇ
及びＢについての画像におけるピクセルの数又はこれらピクセルの割合を表してお
り、一方、水平軸は、最も暗い（左側）から最も明るい（右側）へと順序付けられ
且つ０（真っ黒）から２２５（真っ白）までのスケールで階級付けられた画像のピ
クセルの灰色レベルの値のセットを表している。
【００９９】
前記装置は、更に、皮膚又は外皮の少なくとも１つの画像又は複数の画像を記録する手段を備えると効果的である。
【０１００】
別の特定の変形実施形態によれば、前記装置は、前記計算手段が、種々な画像に関して得られ、人の決定されたパネルの一人以上の人の観察されるべき皮膚又は外皮の種々なゾーンでそれぞれ得られた各パラメータの平均を考慮して、変形実施形態により効果的に記録され、各人について皮膚の色調を較正するための曲線を構成するのに使用できるような各全平均パラメータを得るようにすることを特徴とする。
【０１０１】
これらデータは、図３に示されるような正規直交曲線に従って、皮膚の色調を決定し、分類を実施するのにも使用することができる。
【０１０２】
本発明によれば、平均灰色の光度に近い光度Ｌ＊は、図２に表されたヒストグラムの中央に位置していることが理解されよう。
【０１０３】
更に又、これら３つのヒストグラムＲ、Ｇ、Ｂの重複のレベルは、画像の多少の相当な彩度減少の符号を構成してもいる。
【０１０４】
従って、ヒストグラムが類似していればいるほど、その画像は、彩度増大がより少ない。
【０１０５】
例えば、白は、３つの曲線Ｒ、Ｇ、Ｂの重複により生成される。
【０１０６】
イエロー、マゼンタ及びシアンは、それら曲線Ｒ、Ｇ、Ｂのうちの２つが重複するときに現れる。
【０１０７】
イエローは、曲線Ｒ及びＧの重ねにより生成される。マゼンタは、曲線Ｒ及びＢの重ねにより生成される。そして、シアンは、曲線Ｇ及びＢの重ねにより生成される。
【０１０８】
これらヒストグラムの重複は、非常に明るい、又は非常に暗い色相が強度な彩度増大とはされないことを意味するようなＨＳＬ（色相、彩度、明るさ）システムとの相関として解釈することもできる。
【０１０９】
ヒストグラムＲ、Ｇ、Ｂ及び光度Ｌ＊の組合せから出発する本発明の構想内において、白さの角度を計算して、皮膚の自然白さのレベル及び／又はホワイトニング化粧品での化粧トリートメント後の皮膚の白さレベルの傾斜を分類することが可能であることは、当業者であれば、前述のことから理解できよう。
【０１１０】
そのとき、皮膚の白さレベルを、次の式：
白さ角度＝tan-１（Ｌ＊／ΔＲＧＢ））
による「角度」を用いて量子化することができる。
【０１１１】
図３において表されたような正規直交軸における分類は、このようにして得られ、色黒皮膚、中間皮膚及び色白皮膚を、その白さ角度の値の関数として階級付けすることができる。
【０１１２】
前述したような本発明による方法の装置の応用の２つの実施例について、それを必要とする少なくとも一人の人に対するメーキャップケアに関しての化粧料用組成物の化粧有効性の形での典型的な評価の実施枠内で以下説明する。
【０１１３】
実施例２
それを必要とする人に対するケア又はメーキャップに関して化粧料用組成物の化粧有効性を評価するためのテスト
【０１１４】
化粧ケア組成物の有効性を評価するために、活性ホワイトニング剤を含む水中油型乳剤が使用される。
【０１１５】
この組成物は、次のような配合を示す。
ａ）ホワイトニング剤（重量％）
アスコルグルコシド                            ２％
ＤＮＡナプタラムの水溶液                      ０．６％
パルマリアパルマータの抽出物の水溶液          ０．６％
マルバシルベスリスの抽出物の水溶液            ３％
クエン酸                                      ０．０２％
１００％に足るだけの量の乳剤の化粧的に許容できる付形剤
【０１１６】
この化粧料用組成物の有効性を評価するため、次のような手順を進める。
ａ）皮膚又は外皮の少なくとも１つの決定されたゾーンへ化粧料用組成物を付与する前
に、カメラ１２を用いて少なくとも１つの第１のカラーデジタル画像を取り込む
ｂ）トリートメント前の皮膚又は外皮の色及び光度Ｌ＊の基準パラメータとして、その
皮膚又は外皮の色を決定し、並びに、光度Ｌ＊の値を決定するように、前記第１のデ
ジタルカラー画像を３つの色平面Ｒ（赤）、Ｇ（緑）、Ｂ（青）へと分解する
ｃ）所定の時間期間に亘って、皮膚又は外皮の前記少なくとも１つのゾーンへ前記化粧
料用組成物の１回以上の付与を含むケア又はメーキャップを行う
ｄ）前記所定の時間期間後に、皮膚又は外皮の前記少なくとも１つのゾーンの少なくと
も１つの第２のデジタル画像を取り込み、前記第２の画像に関して、ｂ）に示された
ようにして、トリートメント後の色及び光度＊の現在のパラメータを決定する
ｅ）トリートメント後に得られた第２の画像の色及び光度＊の現在のパラメータを、ト
リートメント前の第１の画像の基準色パラメータ及び光度パラメータＬ＊と比較する
ｆ）色及び光度Ｌ＊の基準パラメータと相当に異なる色及び光度Ｌ＊の現在のパラメータ
の取得又は非取得の関数として、前記化粧料用組成物の有効性又は非有効性を結論付
ける。
【０１１７】
皮膚の色調又は外皮の色調を決定するための装置及び方法の前述したような説明にも関連付けられる方法の特定の変形実施形態によれば、Ｒ、Ｇ、Ｂ平面と称される赤色Ｒ、緑色Ｇ、青色Ｂのそれぞれの３つの平面へと分解された各デジタル画像に関して色パラメータが決定される。
【０１１８】
その後、図２に関して示されたような正規直交平面における曲線の形にて、各デジタル色平面のヒストグラムをプロットし、それにより、Ｇとして示される緑色ヒストグラム、Ｂとして示される青色ヒストグラム、及びＲとして示される赤色ヒストグラムを得る。
【０１１９】
更に又、図２に示された如く、少なくとも２つのヒストグラム、好ましくは、３つのヒストグラムＲ、Ｇ、Ｂの重複のレベルを計算することにより、平均色値を効果的に決定することができる。
【０１２０】
この方法によれば、最も離れたヒストグラムＲ、Ｇ、Ｂ、又は前記ヒストグラムＲ、Ｇ、Ｂのうちの少なくとも２つ、のいずれかのΔＲＧＢとして示されるタイトネスを計算することにより、化粧料用組成物の有効性を決定することもできる。
【０１２１】
次の式により皮膚の白さインデックス（ＩＷ）を計算することもできる。
（ＩＷ）＝tan-１（Ｌ＊／（ΔＲＧＢ））
このような白さインデックスは、図３に関して示されるようにプロットすることができる。
【０１２２】
図４に示されるように、Ｔ０として示されるトリートメント開始日とＴｎとして示されるトリートメントのｎ番目の日との間に得られたΔＲＧＢの値及びＬ＊の値を、正規直交軸にプロットすることもできる。
【０１２３】
一般的に、トリートメント前にＴ０で及びトリートメント後にＴｎで測定されたＬ＊及びΔＲＧＢの値が、図４に示されるように、それらの座標が０よりも大きな軸Ｌ＊（Ｔｎ−Ｔ０）により示される空間内にあるような点を記述することができ且つΔＲＧＢ（Ｔｎ−Ｔ０）が零よりも小さい場合には、ホワイトニング製品は、有効性があると考えられる。
【０１２４】
更に又、２つの決定された時間期間、例えば、トリートメント前の時間Ｔ０とトリートメントの特定の日数後の時間Ｔｎとの間での白さ角度tan-１（Ｌ＊／（ΔＲＧＢ））の傾斜が正の場合には、そのホワイトニング効果についてテストされている化粧品は有効性があると考えられる。
【０１２５】
一般的に、化粧料用組成物の付与は、８週間に亘って実施される。そして、時間Ｔ０、時間Ｔ＝２８日（４週間）、及び時間Ｔ＝５６日（８週間）で測定が行われる。
【０１２６】
実施例３
ＩＴＡベースの肌色に従って募集された女性の２つの非常に異なるグループに分けられた４０人の女性の全パネルに関して８週間に亘る、実施例２に記載されたような化粧品の有効性の考察
ホワイトニング有効性を考察するため、実施例２のような化粧料用組成物の有効性の大規模考察の実施枠の中で、ＩＴＡベースの肌色に従って募集された女性の２つの非常に異なるグループ分けが中国において行われた。
【０１２７】
かくして、グループＦとして示される中間の肌色から色白の肌色までの皮膚を有する２０人の女性のパネルと、グループＣとして示される色白から非常に色白までの肌色を有する２０人の女性のパネルが募集された。
【０１２８】
このような分類を実施するため、皮膚の着色の度合を定める個々の類型学的角度ＩＴＡが測定された。このＩＴＡが低ければ低い程、その皮膚は、より着色されているということに注意されたい。この角度ＩＴＡは、式ＩＴＡ＝tan-１（Ｌ＊−５０）：ｂ＊]×１８０：Πにより得られることを思い出されたい。
【０１２９】
かくして、種々な測定時間、即ち、開始日０又はＴ０、４週間又はＴ４及び８週間又はＴ８で、半横向きの顔のデジタル画像が、標準白色光でもって会社Ｃａｎｆｉｅｌｄ（登録商標）により市販されているＶＩＳＩＡ-ＣＲ装置を使用して取り込まれる。
【０１３０】
前述したような方法により取り込まれたこれらのデジタル画像について、前述したような２つのパラメータ、ΔＲＧＢ及びＬ＊が、計算手段により計算された。
【０１３１】
これと併行して、承認された階級に従った皮膚又は顔全体の色のシェードの臨床的評価、及びＣＬ４００熱量計による熱量測定が行われた。
【０１３２】
このような考察から生ずるような典型的な表示を、図５に示している。
【０１３３】
ΔＲＧＢ及びＬ＊による皮膚の自然ホワイトニングの測定により、女性の２つのグループの階級分けを確認することができることが認められる。
【０１３４】
以下の表ＩにおいてＦとして示された中間の肌色から色白の肌色までの皮膚を有する女性のグループは、以下の表においてＣとして示された色白の肌色から非常に色白の肌色までの皮膚を有する女性のグループより、より低い白さ角度を有する。
【０１３５】
ΔＲＧＢ及びＬ＊により行われる女性の２つのグループへの分類は、皮膚化学の分類に強く相関付けられており、熱量測定（又は色相角度ＩＴＡ）に完全に一致しているように見える。
【表１】
0005885344.tif 000002
時間Ｔ＝４週間及び時間Ｔ＝８週間で測定された実施例２の化粧料用組成物での化粧トリートメントの過程におけるΔＲＧＢ及びＬ＊における傾斜により、図６に示されたようにテストされた製品のホワイトニング作用をそれら２つの女性のグループについて確認することができる。
【０１３６】
それらの結果は、以下の表II、III、IV及びＶにも示されている。
【表２】
0005885344.tif 000003
【表３】
0005885344.tif 000004
【表４】
0005885344.tif 000005
【表５】
0005885344.tif 000006
色の彩度減少を示す偏差Ｒ、Ｇ、Ｂの相当の減少、それと並んで、光度Ｌ＊の増大は、図６及び表IIから表Ｖに基づいて認められる。
【０１３７】
こうして、白さ角度の傾斜により化粧トリートメントのこのような正の傾斜を導き出すことができる。
【０１３８】
こうして、ホワイトニング効果が、臨床的評価及び色相角度ＩＴＡの測定により確認された。
【０１３９】
従って、本発明によれば、化粧品の有効性又は非有効性を、安全且つ高い再現性をもって測定することができる。本発明は、化粧品のホワイトにイング効果の測定に限定されるものではないことは、当業者には明らかであろう。
【０１４０】
本発明は、所定の時間期間において化粧タンニング組成物の付与によるタンニングケアにも応用でき、色及び光度Ｌ＊の現在のパラメータの取得又は非取得の関数として、その化粧料用組成物のタンニングの有効性又は非有効性に関する結論をなすことができるものである。
【０１４１】
従って、本発明は、その範囲から逸脱せずに、種々な変形態様により実施することができるものであることは、理解されよう。
【０１４２】
本発明は、又、前述したような手段の技術的に等価物を構成する手段並びにそれらの種々な組合せの全てをカバーするものでもある。
【符号の説明】
【０１４３】
１０…本発明による装置、１２…デジタルカメラ（デジタルカラーカメラ）又はデジタル写真装置、１３…コード、１４…デジタル画像、３６…皮膚ゾーン（額）、３８…皮膚ゾーン、４０…皮膚ゾーン（ほお）、５０…コンピュータ、５２…モニター、５４…スクリーン、５６…キーボード、５８…マウス。
【図２】
0005885344.tif 000007
【図３】
0005885344.tif 000008
【図４】
0005885344.tif 000009
【図５】
0005885344.tif 000010
【図６】
0005885344.tif 000011
【図１】
0005885344.tif 000012